(57)【要約】【課題】遠隔操作による制御においても、利用者が制御値を容易に認識できるオーディオ信号処理装置、スピーカ装置、映像表示装置、通信装置およびオーディオシステムを提供すること。【解決手段】本発明の実施形態に係るオーディオシステムにおいては、スピーカ装置１０の放音部から、通信装置２０の携帯オーディオ装置において再生しているオーディオ信号Ｓｉｎが放音される。利用者は、通信装置２０の操作部の操作、スピーカ装置１０の操作部の操作により、ボリューム値を変更することによって、放音されるオーディオ信号Ｓｉｎの音量を変更することができ、どちらの操作によっても、通信装置２０の表示部に、変更後の現在のボリューム値に応じた表示がされるから、手元の通信装置２０において容易に現在のボリューム値を認識することができる。【選択図】図５
2010056863.tif 000002
【特許請求の範囲】
【請求項１】
外部装置からオーディオ信号を無線通信により所定の間隔で受信する受信手段と、
信号処理のパラメータを示す設定情報を記憶する記憶手段と、
前記受信手段によって受信されたオーディオ信号に対して、前記記憶手段に記憶されている設定情報に応じて信号処理を施して出力する信号処理手段と、
信号処理のパラメータを示す設定情報を、前記受信手段によってオーディオ信号が受信されない期間に、前記外部装置から無線通信により受信する設定情報受信手段と、
前記記憶手段に記憶されている設定情報が示すパラメータの変更を指示する指示手段と、
前記設定情報受信手段によって設定情報が受信されると、前記記憶手段に記憶されている設定情報を、前記設定情報受信手段によって受信された設定情報に応じて更新する第１の更新手段と、
前記指示手段によって設定情報が示すパラメータの変更が指示されると、前記記憶手段に記憶されている設定情報を、当該指示に応じて更新する第２の更新手段と、
前記記憶手段に記憶されている設定情報を前記外部装置に対して無線通信により送信する送信手段と
を具備することを特徴とするオーディオ信号処理装置。
【請求項２】
前記指示手段は、操作子の操作に応じて、前記記憶手段に記憶されている設定情報が示すパラメータの変更を指示する
ことを特徴とする請求項１に記載のオーディオ信号処理装置。
【請求項３】
前記記憶手段に記憶されている設定情報が示すパラメータは、増幅率を示すパラメータであり、
前記信号処理手段によって前記オーディオ信号に施される信号処理は、前記記憶手段に記憶されている設定情報に係る増幅率で増幅する信号処理である
ことを特徴とする請求項１または請求項２に記載のオーディオ信号処理装置。
【請求項４】
前記外部装置からの通信電波の強度を検出する検出手段
をさらに具備し、
前記信号処理手段は、前記受信手段によって受信されたオーディオ信号に対して、前記記憶手段に記憶されている設定情報および前記検出手段によって検出された通信電波の強度に応じて信号処理を施して出力する
ことを特徴とする請求項１乃至請求項３のいずれかに記載のオーディオ信号処理装置。
【請求項５】
請求項１乃至請求項４のいずれかに記載のオーディオ信号処理装置と、
前記信号処理手段から出力されるオーディオ信号を放音する放音手段と
を具備することを特徴とするスピーカ装置。
【請求項６】
請求項５に記載のスピーカ装置と、
表示画面に表示を行う表示手段と
を具備し、
前記受信手段は、さらに映像信号を取得し、
前記表示手段は、前記受信手段によって取得された映像信号と前記記憶手段に記憶されている設定情報とに応じた表示を行う
ことを特徴とする映像表示装置。
【請求項７】
オーディオ信号を取得する取得手段と、
前記取得手段によって取得されたオーディオ信号を、外部装置に対して無線通信により所定の間隔で送信する送信手段と、
信号処理のパラメータを示す設定情報を記憶する記憶手段と、
信号処理のパラメータを示す設定情報を、前記外部装置から無線通信により受信する受信手段と、
前記記憶手段に記憶されている設定情報が示すパラメータの変更を操作により指示する操作手段と、
前記記憶手段に記憶されている設定情報に応じた表示を行う表示手段と、
前記受信手段によって設定情報が受信されると、前記記憶手段に記憶されている設定情報を、前記受信手段によって受信された設定情報に応じて更新する第１の更新手段と、
前記操作手段によって設定情報が示すパラメータの変更が指示されると、前記記憶手段に記憶されている設定情報を、当該指示に応じて更新する第２の更新手段と、
前記記憶手段に記憶されている設定情報を、前記送信手段によってオーディオ信号が送信されない期間に、前記外部装置に対して無線通信により送信する設定情報送信手段と
を具備することを特徴とする通信装置。
【請求項８】
前記取得手段によって取得されたオーディオ信号に対して、前記記憶手段に記憶されている設定情報に応じて信号処理を施して出力する信号処理手段
をさらに具備する
ことを特徴とする請求項７に記載の通信装置。
【請求項９】
請求項１乃至請求項４のいずれかに記載のオーディオ信号処理装置と、
請求項７または請求項８に記載の通信装置と
を具備し、
前記オーディオ信号処理装置は、前記通信装置から無線通信により前記オーディオ信号および前記設定情報を受信する
ことを特徴とするオーディオシステム。
【発明の詳細な説明】
【技術分野】
【０００１】
本発明は、電気機器を遠隔操作するリモコン装置などの通信装置における操作性を向上する技術に関する。
【背景技術】
【０００２】
電気機器などを遠隔操作するリモコン装置は、リモコン装置を操作することにより、操作に応じた制御が行われるようになっている。例えば、特許文献１に開示された無線ヘッドセットは、遠隔操作する音響機器本体のボリューム値を制御できるリモコン装置の機能を有している。
【特許文献１】特開２００３−２５９４７５号公報
【発明の開示】
【発明が解決しようとする課題】
【０００３】
特許文献１に開示されているように、ボリュームを制御するリモコン装置は、音響機器本体のボリューム値の制御を行うときには、現在設定されているボリューム値を基準として、その値を増減させる指示に応じて行われるため、利用者は、設定したボリューム値そのものを認識するためには、例えば音響機器本体に設けられたディスプレイの表示などにより確認しなくてはならない。
【０００４】
一方、ボリューム値そのものを指定して音響機器本体に設定できるようなリモコン装置であった場合、その時点においてはリモコン装置の操作時にボリューム値を認識することができる。しかし、音響機器本体においてボリューム値の変更が行われた場合には、現在設定されているボリューム値を認識するためには、上記同様に音響機器本体における表示を確認する必要がある。したがって、例えば現状より音量を大きくしたいと考えた場合には、音響機器本体の表示を確認して現在のボリューム値を認識した上で、リモコン装置を操作して、設定したいボリューム値を指定する必要があった。
【０００５】
本発明は、上述の事情に鑑みてなされたものであり、遠隔操作による制御においても、利用者が制御値を容易に認識できるオーディオ信号処理装置、スピーカ装置、映像表示装置、通信装置およびオーディオシステムを提供することを目的とする。
【課題を解決するための手段】
【０００６】
上述の課題を解決するため、本発明は、外部装置からオーディオ信号を無線通信により所定の間隔で受信する受信手段と、信号処理のパラメータを示す設定情報を記憶する記憶手段と、前記受信手段によって受信されたオーディオ信号に対して、前記記憶手段に記憶されている設定情報に応じて信号処理を施して出力する信号処理手段と、信号処理のパラメータを示す設定情報を、前記受信手段によってオーディオ信号が受信されない期間に、前記外部装置から無線通信により受信する設定情報受信手段と、前記記憶手段に記憶されている設定情報が示すパラメータの変更を指示する指示手段と、前記設定情報受信手段によって設定情報が受信されると、前記記憶手段に記憶されている設定情報を、前記設定情報受信手段によって受信された設定情報に応じて更新する第１の更新手段と、前記指示手段によって設定情報が示すパラメータの変更が指示されると、前記記憶手段に記憶されている設定情報を、当該指示に応じて更新する第２の更新手段と、前記記憶手段に記憶されている設定情報を前記外部装置に対して無線通信により送信する送信手段とを具備することを特徴とするオーディオ信号処理装置を提供する。
【０００７】
また、別の好ましい態様において、前記指示手段は、操作子の操作に応じて、前記記憶手段に記憶されている設定情報が示すパラメータの変更を指示することを特徴とする。
【０００８】
また、別の好ましい態様において、前記記憶手段に記憶されている設定情報が示すパラメータは、増幅率を示すパラメータであり、前記信号処理手段によって前記オーディオ信号に施される信号処理は、前記記憶手段に記憶されている設定情報に係る増幅率で増幅する信号処理であることを特徴とする。
【０００９】
また、別の好ましい態様において、前記外部装置からの通信電波の強度を検出する検出手段をさらに具備し、前記信号処理手段は、前記受信手段によって受信されたオーディオ信号に対して、前記記憶手段に記憶されている設定情報および前記検出手段によって検出された通信電波の強度に応じて信号処理を施して出力することを特徴とする。
【００１０】
また、本発明は、上記記載のオーディオ信号処理装置と、前記信号処理手段から出力されるオーディオ信号を放音する放音手段とを具備することを特徴とするスピーカ装置を提供する。
【００１１】
また、本発明は、上記記載のスピーカ装置と、表示画面に表示を行う表示手段とを具備し、前記取得手段は、さらに映像信号を取得し、前記表示手段は、前記取得手段によって取得された映像信号と前記記憶手段に記憶されている設定情報とに応じた表示を行うことを特徴とする映像表示装置を提供する。
【００１２】
また、本発明は、オーディオ信号を取得する取得手段と、前記取得手段によって取得されたオーディオ信号を、外部装置に対して無線通信により所定の間隔で送信する送信手段と、信号処理のパラメータを示す設定情報を記憶する記憶手段と、信号処理のパラメータを示す設定情報を、前記外部装置から無線通信により受信する受信手段と、前記記憶手段に記憶されている設定情報が示すパラメータの変更を操作により指示する操作手段と、前記記憶手段に記憶されている設定情報に応じた表示を行う表示手段と、前記受信手段によって設定情報が受信されると、前記記憶手段に記憶されている設定情報を、前記受信手段によって受信された設定情報に応じて更新する第１の更新手段と、前記操作手段によって設定情報が示すパラメータの変更が指示されると、前記記憶手段に記憶されている設定情報を、当該指示に応じて更新する第２の更新手段と、前記記憶手段に記憶されている設定情報を、前記送信手段によってオーディオ信号が送信されない期間に、前記外部装置に対して無線通信により送信する設定情報送信手段とを具備することを特徴とする通信装置を提供する。
【００１３】
また、別の好ましい態様において、オーディオ信号を取得する取得手段と、前記取得手段によって取得されたオーディオ信号を、前記外部装置に対して無線通信により送信する送信手段と、前記取得手段によって取得されたオーディオ信号に対して、前記記憶手段に記憶されている設定情報に応じて信号処理を施して出力する信号処理手段とをさらに具備することを特徴とする。
【００１４】
また、本発明は、上記記載のオーディオ信号処理装置と、上記記載の通信装置とを具備し、前記オーディオ信号処理装置は、前記通信装置から無線通信により前記オーディオ信号および前記設定情報を受信することを特徴とするオーディオシステムを提供する。
【発明の効果】
【００１５】
本発明によれば、遠隔操作による制御においても、利用者が制御値を容易に認識できるオーディオ信号処理装置、スピーカ装置、映像表示装置、通信装置およびオーディオシステムを提供することができる。
【発明を実施するための最良の形態】
【００１６】
以下、本発明の一実施形態について説明する。
【００１７】
＜実施形態＞
本発明の実施形態に係るオーディオシステム１は、図１に示すように、スピーカ装置１０および通信装置２０を有する。図１は、オーディオシステム１の構成を示す説明図である。通信装置２０は、携帯オーディオ装置２１と通信モジュール２５とが接続されたものであり、通信装置２０の通信モジュール２５とスピーカ装置１０の通信部１５０との間で無線通信が行われる。以下、スピーカ装置１０、通信装置２０のそれぞれの構成について、図２、図３を用いて順に説明する。図２は、スピーカ装置１０の構成を示すブロック図である。図３は、通信装置２０の構成を示すブロック図である。
【００１８】
スピーカ装置１０は、図２に示すように、オーディオ信号処理装置１００および放音部１２０を有する。オーディオ信号処理装置１００は、制御部１０１、電力供給部１０２、増幅部１０３、操作部１１０、記憶部１１１および通信部１５０を有する。通信部１５０は、電力の供給を受けて動作する無線通信部１５１および通信制御部１５２を有する。
【００１９】
無線通信部１５１は、出力する電波の強度に応じた通信範囲内に存在する通信装置２０を検索して無線通信を物理レベルで確立（以下、無線通信の確立とは、物理レベルでの確立をいう）し、無線通信を確立した通信装置２０と、通信制御部１５２の制御より通信行う。また、後述のように通信制御部１５２によって通信装置２０と接続するように制御されると、接続状態である期間においては、その通信装置２０から送信されるエンコードされたオーディオ信号Ｓｉｎを受信してデコード処理することにより取得したオーディオ信号Ｓｉｎ（この例においては、ステレオ２チャンネル）を出力する。
【００２０】
同様に、スピーカ装置１０と通信装置２０とが接続状態である期間においては、無線通信部１５１は、信号処理のパラメータ（この例においては、ボリューム値（０、１、２、・・・、２５５））を示す設定情報が含まれる制御信号Ｓｃについても、通信装置２０から受信して取得し、取得した制御信号Ｓｃを出力する。すなわち、スピーカ装置１０と通信装置２０とが接続された状態とは、通信装置２０から送信されるオーディオ信号Ｓｉｎ、制御信号Ｓｃがスピーカ装置１０において受信して取得することができる状態である。このとき、制御信号Ｓｃが通信されるチャンネルと、オーディオ信号Ｓｉｎが通信されるチャンネルとは同一チャンネル（別周波数）としている。オーディオ信号Ｓｉｎと違い、使用頻度の低い制御信号Ｓｃのために別のチャンネルを占有するとそのチャンネルの使用効率が悪くなるから、好ましくない。したがって、オーディオ信号Ｓｉｎのために確保しているチャンネルの中に混ぜ込み、通信されるオーディオ信号Ｓｉｎの隙を見つけて制御信号Ｓｃを通信した方が、制御信号Ｓｃのために別チャンネルを設けるより効率が良い。この例においては、オーディオ信号Ｓｉｎは所定の間隔で通信され、オーディオ信号Ｓｉｎが通信されていない期間に制御信号Ｓｃが通信されるようになっている。
【００２１】
また、無線通信部１５１は、制御部１０１から出力されるフィードバック信号Ｓｆを通信装置２０に対して送信する。フィードバック信号Ｓｆには、後述するように、スピーカ装置１０が操作されたことにより変化したボリューム値を示す設定情報が含まれている。フィードバック信号Ｓｆが通信されるチャンネルについては、制御信号Ｓｃが通信されるチャンネルと同じチャンネルであってもよい。
【００２２】
通信制御部１５２は、無線通信部１５１の通信を制御する。この制御は、例えば、制御内容を示す信号を通信制御部１５２から無線通信部１５１に出力することによって行われる。通信制御部１５２は、無線通信部１５１によって物理レベルで無線通信が確立された通信装置２０と信号の送受信を行うように制御し、その結果、予め設定された接続条件を満たすと、その通信装置２０との接続を開始させるように無線通信部１５１を制御する。また、通信制御部１５２は、通信装置２０との接続状態であるときに、予め設定された切断条件を満たすと、その接続を切断して接続を終了させる。接続条件および切断条件については、後述する。
【００２３】
また、通信制御部１５２は、制御部１０１に対して、通信装置２０との接続状況を示す接続情報を出力する。これにより制御部１０１は、スピーカ装置１０と通信装置２０とが無線通信により接続されているか否かを認識することができる。なお、通信制御部１５２は、図示しない操作手段の操作などに応じて、無線通信部１５１から出力される電波の強度を変更して、通信範囲を変更できるようにしてもよい。
【００２４】
電力供給部１０２は、増幅部１０３に対して電力を供給する電源であって、制御部１０１によって、電力供給の開始、停止が制御される。なお、電力の供給先は増幅部１０３に限らず、図示しない処理回路（例えば、オーディオ信号に対して音響処理を施す回路など）も含まれていてもよいが、通信部１５０および制御部１０１のうち電力供給部１０２を制御する部分については、電力供給部１０２の増幅部１０３に対する電力供給の開始、停止にかかわらず、電力が供給される。なお、供給する電力は、装置内部に電池などを有することにより装置内部で生成したものであってもよいし、装置外部からコンセントなどを用いて取り入れたものであってもよい。例えば、コンセントが装置外部の電源タップに接続され、電力が供給されている状態であれば、通信部１５０および制御部１０１のうち電力供給部１０２を制御する部分については、常に電力が供給されるようにしてもよい。また、通信部１５０への電力の供給は、電力供給部１０２からの供給に限らず、これとは別に設けられた電力供給部から供給されるようにしてもよい。
【００２５】
増幅部１０３は、電力供給部１０２から電力の供給を受けると、起動、初期化処理が行われ、入力されるオーディオ信号、すなわち無線通信部１５１から出力されるオーディオ信号Ｓｉｎについて制御部１０１に設定された増幅率で増幅して、オーディオ信号Ｓｏｕｔとして出力する。なお、制御部１０１の制御により、電力供給部１０２から電力の供給を受けた直後から、予め設定された時間かけて、第１の増幅率から、さらに大きい第２の増幅率（後述するボリューム値に応じた増幅率）に徐々に変化するようにして、増幅部１０３の増幅率が設定されてもよい。
【００２６】
操作部１１０は、図１に示すように、操作子１１０Ａ、１１０Ｂを有し、操作子１１０Ａ、１１０Ｂが操作されると、操作された操作子を示す操作信号を制御部１０１に出力する。この例においては、操作子１１０Ａは、ボリューム値について「１」減少させる変更を指示する操作子であり、操作子１１０Ｂは、ボリューム値について「１」増加させる変更を指示する操作子である。なお、操作子は、このような操作子に限らず、ロータリエンコーダ、数値入力可能なキーボードなどであってもよい。
【００２７】
記憶部１１１は、例えば不揮発性メモリなどの記憶手段であって、ボリューム値を示す設定情報を記憶する。
【００２８】
制御部１０１は、通信制御部１５２からの接続情報により、通信装置２０との接続状態を認識し、スピーカ装置１０と通信装置２０との無線通信による接続が開始されると、電力供給部１０２から増幅部１０３に電力の供給を開始するように制御する。一方、制御部１０１は、スピーカ装置１０と通信装置２０との接続が切断されると、電力供給部１０２から増幅部１０３への電力の供給を停止するように制御する。すなわち、この例においては、通信装置２０との接続開始から切断までの期間は、電力供給部１０２から増幅部１０３に電力が供給され、それ以外の期間は電力の供給が停止している。これらの制御は、例えば、制御内容を示す信号を制御部１０１から電力供給部１０２に出力することによって行われる。
【００２９】
ここで、制御部１０１によって制御される、電力供給部１０２から増幅部１０３に電力の供給を開始するタイミングは、スピーカ装置１０と通信装置２０との無線通信による接続が開始されたタイミングと同じであってもよいし、接続が開始されたタイミングから、予め設定された時間の経過後に電力の供給を開始するようにしてもよい。一方、電力の供給を停止するタイミングについても、スピーカ装置１０と通信装置２０との無線通信による接続が切断されたタイミングと同じであってもよいし、接続が切断されたタイミングから、予め設定された時間の経過後に電力の供給を停止するようにしてもよい。
【００３０】
さらに、制御部１０１は、無線通信部１５１から制御信号Ｓｃを取得すると、制御信号Ｓｃに含まれる設定情報が示すボリューム値になるように、記憶部１１１に記憶されている設定情報のボリューム値を更新する。
【００３１】
また、制御部１０１は、操作部１１０から操作信号を取得すると、記憶部１１１に記憶されている設定情報のボリューム値を、操作信号に応じて更新する。すなわち、制御部１０１は、取得した操作信号が操作子１１０Ａを示すものであれば、記憶部１１１に記憶されている設定情報のボリューム値を「１」減少させ、取得した操作信号が操作子１１０Ｂを示すものであれば、記憶部１１１に記憶されている設定情報のボリューム値を「１」増加させるようにして、更新する。このとき、記憶部１１１に記憶されている設定情報のボリューム値に応じて、増減量を変化させてもよい。例えば、ボリューム値が「０」から「１２２」のときは、「１」ずつ増減させ、「１２３」〜「２５５」のときには、「５」ずつ増減させるようにしてもよい。
【００３２】
そして、制御部１０１は、記憶部１１１に記憶されている設定情報が示すボリューム値に応じた増幅率を増幅部１０３に対して設定する。また、制御部１０１は、記憶部１１１に記憶されている設定情報を含むフィードバック信号Ｓｆを、無線通信部１５１に出力する。ここで、フィードバック信号Ｓｆの出力は、後述するように、通信装置２０からの状態変化の問い合わせに応じて行われる。
【００３３】
放音部１２０は、Ｌチャンネル用、Ｒチャンネル用のスピーカを有し、増幅部１０３から出力されたオーディオ信号Ｓｏｕｔの各チャンネルの信号をそれぞれのチャンネル用のスピーカから放音する。以上がスピーカ装置１０の構成についての説明である。
【００３４】
次に、通信装置２０の構成について説明する。通信装置２０は、図３に示すように、携帯オーディオ装置２１および通信モジュール２５を有する。携帯オーディオ装置２１は、制御部２１１、記憶部２１２、操作部２１３、表示部２１４、音声出力部２１５およびインターフェイス２１６を有し、それぞれがバス２１０を介して接続され、図示しない電源部（例えば、電池など）から電力の供給を受けている。また、通信モジュール２５は、インターフェイス２５１、無線通信部２５２および通信制御部２５３を有する。
【００３５】
この携帯オーディオ装置２１と通信モジュール２５とは、インターフェイス２５１、２１６により接続されている。この例においては、通信モジュール２５は、携帯オーディオ装置２１との接続により、携帯オーディオ装置２１の電源部（不図示）から、インターフェイス２５１、２１６を介して電力の供給を受けている。したがって、通信モジュール２５を携帯オーディオ装置２１から取り外して接続を解除すると通信モジュール２５の各部の機能は停止する。なお、通信モジュール２５は、各部に電力を供給する電池を通信モジュール２５の内部に有していてもよい。
【００３６】
制御部２１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を有している。ＣＰＵは、ＲＯＭから制御プログラムをＲＡＭに読み出して実行することにより、携帯オーディオ装置２１の各部について、バス２１０を介して制御する。制御部２１１における制御内容については後述する。
【００３７】
記憶部２１２は、例えばハードディスク、不揮発性メモリなどの大容量記憶手段であって、オーディオ信号、映像信号を示すデータなどを記憶する。また、ボリューム値を示す設定情報を記憶する。
【００３８】
操作部２１３は、利用者が操作を行うための操作子を有する。利用者が操作部１５を操作するとその操作内容を表す操作信号が制御部２１１へ出力される。この例においては、操作子には、回転操作ができる操作子があり、後述するように表示部２１４に設定情報に応じた表示がなされているときにおける、この操作子の時計回りの回転は、ボリューム値を増加させる変更を指示するものであり、反時計回りの回転は、ボリューム値を減少させる変更を指示するものである。
【００３９】
表示部２１４は、映像を表示する液晶ディスプレイなどの表示デバイスであって、制御部２１１の制御によって入力される映像信号、画像信号に応じた表示を行う。
【００４０】
音声出力部２１５は、ヘッドホンなどの放音手段を接続する接続端子を有し、制御部２１１の制御によって入力されるオーディオ信号を、接続される放音手段に供給する。
【００４１】
インターフェイス２１６は、外部機器と接続し、様々なデータの入出力をするための接続端子である。この例においては、インターフェイス２１６には通信モジュール２５が接続され、制御部２１１の制御によってオーディオ信号Ｓｉｎ、制御信号Ｓｃを、接続された通信モジュール２５に出力する。また、インターフェイス２１６は、接続された通信モジュール２５からはフィードバック信号Ｓｆが入力され、制御部２１１に出力する。
【００４２】
制御部２１１は、例えば、操作部２１３の利用者による選択、再生操作に応じて、記憶部２１２に記憶されたオーディオ信号を示すデータを読み出して再生し、例えば１６ビット４８ｋＨｚサンプリング×２ｃｈのオーディオ信号Ｓｉｎとして音声出力部２１５およびインターフェイス２１６に出力する。また、制御部２１１は、設定情報が更新されると、すなわち利用者による操作部２１３の操作が行われると、記憶部２１２に記憶されている設定情報を含む制御信号Ｓｃをインターフェイス２１６に出力する。さらに、制御部２１１は、通信装置２０とスピーカ装置１０とが接続されたときにも、記憶部２１２に記憶されている設定情報を含む制御信号Ｓｃを出力するようにしてもよい。
【００４３】
このとき、制御部２１１は、スピーカ装置１０と通信装置２０とが接続状態か否かを示す情報を通信制御部２５３から取得し、接続状態のときは音声出力部２１５へのオーディオ信号Ｓｉｎの出力を停止するようにしてもよいし、接続状態でないときはインターフェイス２１６へのオーディオ信号Ｓｉｎ、制御信号Ｓｃの出力を停止するようにしてもよい。また、オーディオ信号Ｓｉｎを音声出力部２１５に出力するときには、制御部２１１は、記憶部２１２に記憶されている設定情報が示すボリューム値に応じて、オーディオ信号Ｓｉｎの出力レベルを調整してもよいが、インターフェイス２１６に出力するオーディオ信号Ｓｉｎについての出力レベルは調整しない。これは、スピーカ装置１０への送信前にオーディオ信号Ｓｉｎの出力レベルを調整しないことにより、ＳＮ比を高く保つなど音質劣化を少なくすることができるためである。
【００４４】
また、制御部２１１は、記憶部２１２に記憶されている設定情報が示すボリューム値に応じた画像を示す画像信号を生成し、表示部２１４に出力することにより、表示部２１４に設定情報に応じた表示をさせる。この表示は、例えば、図１に示すように設定情報が示すボリューム値、また、そのボリューム値を棒グラフで表して行われる。
【００４５】
さらに、制御部２１１は、インターフェイス２１６からフィードバック信号Ｓｆを取得すると、フィードバック信号Ｓｆに含まれる設定情報に応じて、記憶部２１２に記憶されている設定情報のボリューム値を更新する。
【００４６】
また、制御部２１１は、表示部２１４に設定情報に応じた表示がなされているときに、操作部２１３から取得した操作信号に応じて、記憶部２１２に記憶されている設定情報が示すボリューム値を増減させるようにして、更新する。すなわち、制御部２１１は、取得した操作信号が時計回りの回転を示すものであれば、記憶部２１２に記憶されている設定情報のボリューム値を増加させ、取得した操作信号が反時計回りの回転を示すものであれば、記憶部１１１に記憶されている設定情報のボリューム値を減少させるようにして、更新する。ここで、ボリューム値の増加量、減少量については、操作子の回転量に応じたものとすればよく、予め設定された回転角ごとにボリューム値が「１」ずつ変化するようにすればよい。そして、ボリューム値が変化するたびに制御信号Ｓｃが出力されるようにすればよい。
【００４７】
このように記憶部２１２に記憶されている設定情報が示すボリューム値が更新されると、その更新にあわせて表示部２１４の表示が変化していく。例えば、表示部２１４に表示されたボリューム値が１３５であるときに、ボリューム値が「１」減少するように更新されると、記憶部２１２に記憶されている設定情報が示すボリューム値は「１３５」から「１３４」へ更新されるから、表示部２１４に表示されるボリューム値も「１３４」に変化する。
【００４８】
インターフェイス２５１は、外部機器と接続し、様々なデータの入出力をするための接続端子である。この例においては、インターフェイス２５１には携帯オーディオ装置２１が接続され、携帯オーディオ装置２１のインターフェイス２１６から出力されるオーディオ信号Ｓｉｎ、制御信号Ｓｃを無線通信部２５２に出力する。また、インターフェイス２５１は、無線通信部２５２から出力されるフィードバック信号Ｓｆを携帯オーディオ装置２１のインターフェイス２１６に出力する。
【００４９】
無線通信部２５２は、出力する電波の強度に応じた通信範囲内に存在するスピーカ装置１０を検索して無線通信を物理レベルで確立し、無線通信を確立したスピーカ装置１０と、通信制御部２５３の制御より通信行う。無線通信部２５２は、上述したようにスピーカ装置１０の無線通信部１５１との無線通信により、スピーカ装置１０と通信装置２０との接続が開始されると、その接続が切断されるまでの期間において、インターフェイス２５１から出力されるオーディオ信号Ｓｉｎをエンコードしてスピーカ装置１０に送信する。
【００５０】
ここで、オーディオ信号Ｓｉｎの送信は、スピーカ装置１０と通信装置２０とが接続状態にあるときのみ行われるようにしてもよいし、接続状態に関わらずオーディオ信号Ｓｉｎの送信が行われ、接続状態でないときにはスピーカ装置１０においてオーディオ信号Ｓｉｎが取得されないようにしてもよい。
【００５１】
同様に、スピーカ装置１０と通信装置２０とが接続状態である期間においては、無線通信部２５２は、インターフェイス２５１から出力される制御信号Ｓｃについてもスピーカ装置１０に送信する。また、無線通信部２５２は、スピーカ装置１０からフィードバック信号Ｓｆを受信し、インターフェイス２５１に出力する。
【００５２】
通信制御部２５３は、無線通信部２５２の通信を制御する。この制御は、例えば、制御内容を示す信号を通信制御部２５３から無線通信部２５２に出力することによって行われる。通信制御部２５３は、無線通信部２５２によって物理レベルで無線通信が確立されたスピーカ装置１０と信号の送受信を行うように制御し、その結果、スピーカ装置１０の通信制御部１５２と同様に、予め設定された接続条件を満たすと、そのスピーカ装置１０との接続を開始させるように無線通信部２５２を制御する。また、通信制御部２５３は、スピーカ装置１０との接続状態であるときに、予め設定された切断条件を満たすと、その接続を切断して接続を終了させる。なお、通信制御部２５３は、図示しない操作手段の操作などに応じて、無線通信部２５２から出力される電波の強度を変更して、通信範囲を変更できるようにしてもよい。以上が、通信装置２０の構成についての説明である。
【００５３】
次に、オーディオシステム１におけるスピーカ装置１０および通信装置２０の動作について、図４、図５を用いて説明する。図４は、スピーカ装置１０と通信装置２０との無線通信についての説明図である。図５は、スピーカ装置１０と通信装置２０とが無線通信により接続されているときのスピーカ装置１０と通信装置２０との動作についての説明図である。
【００５４】
ここでは、スピーカ装置１０が予め設置され、通信装置２０を利用者が携帯した状態であって、この利用者が、スピーカ装置１０の通信範囲外から通信範囲内に入った後、操作部２１３を操作してボリューム値を変更する指示を行い、通信範囲外に離れていく場合を想定する。また、通信装置２０の携帯オーディオ装置２１においては、利用者の操作によりオーディオ信号が再生されているものとする。この場合におけるスピーカ装置１０と通信装置２０との間で行われる無線通信について説明する。
【００５５】
図４に示すように、まず、スピーカ装置１０および通信装置２０が互いに通信範囲外にいる状態においては、互いに無線通信を確立できる通信相手を検索している。この時点においては、スピーカ装置１０の増幅部１０３には、電力が供給されていない。そして、利用者が移動して、通信装置２０がスピーカ装置１０の通信範囲内に入ると、スピーカ装置１０と通信装置２０とは通信相手を検出し、スピーカ装置１０の無線通信部１５１および通信装置２０の無線通信部２５２によって、互いの無線通信が物理レベルで確立される。
【００５６】
無線通信が確立されると、スピーカ装置１０の通信制御部１５２の制御により、無線通信部１５１は、通信装置２０との接続を要求する情報と自装置を識別する識別情報（例えば、装置ＩＤ、グループＩＤ、製品情報、メーカー情報など）とを含む接続要求信号を、通信装置２０に対して送信する。スピーカ装置１０は、接続要求信号を送信し、接続条件を満たすかどうかの判定を待つ。この例においては、接続条件とは、接続要求信号に応答して、通信装置２０から送信される接続許可を示す接続応答信号をスピーカ装置１０において受信することである。
【００５７】
通信装置２０は、無線通信部２５２によって、スピーカ装置１０から送信された接続要求信号を受信すると、通信制御部２５３は、識別情報を評価してスピーカ装置１０と接続するか否かを判定する。この識別情報の評価による判定は、例えば以下のようにすればよい。スピーカ装置１０における識別情報をグループＩＤ（例えば、グループ１、２、３）として規定し、このグループＩＤは、ディップスイッチなどの操作手段（不図示）によって設定できるようにする。一方、通信装置２０の通信モジュール２５においても、同様に、ディップスイッチなどの操作手段（不図示）によって、通信モジュール２５のグループＩＤを設定できるようにする。
【００５８】
このようなスピーカ装置１０、通信装置２０の構成において、スピーカ装置１０から送信されるグループＩＤを示す識別情報を含む接続要求信号を、通信装置２０の無線通信部２５２において受信すると、通信制御部２５３は、その識別情報が示すグループＩＤと、通信モジュール２５に設定されたグループＩＤとが一致するかどうかを判定すればよい。このようにすれば、接続可能なスピーカ装置１０と通信装置２０とのペアを容易に設定することができるから、複数のスピーカ装置１０が設置されている場合に、各スピーカ装置１０のグループＩＤを設定しておくことで、通信装置２０と無線通信により接続されるスピーカ装置１０を容易に設定することができる。
【００５９】
そして、通信装置２０は、スピーカ装置１０と接続すると判定したときには、接続許可を示す接続応答信号を、スピーカ装置１０に対して送信する。また、スピーカ装置１０と接続しないと判定したときには、接続応答信号を送信しないようにしてもよいし、接続不許可を示す接続応答信号を送信するようにしてもよい。
【００６０】
スピーカ装置１０の通信制御部１５２は、無線通信部１５１により接続許可を示す接続応答信号を受信すると、上述した接続条件を満たしたと判定し、スピーカ装置１０と通信装置２０とを無線通信による接続を開始して、接続状態とする。これにより、オーディオ信号Ｓｉｎ、制御信号Ｓｃおよびフィードバック信号Ｓｆについてスピーカ装置１０と通信装置２０との間で送受信が可能な状態となる。また、制御部１０１は、電力供給部１０２から増幅部１０３に電力を供給させる。
【００６１】
ここで、スピーカ装置１０の通信制御部１５２は、一定期間は接続条件についての判定を続けるが、その期間内に無線通信部１５１により接続許可を示す接続応答信号を受信しなかった場合には、この通信装置２０との接続を行わずに、無線通信が確立された状態が維持され、別の通信装置２０が通信範囲内に存在しないかどうかの検索をして、無線通信が確立できる通信装置２０が存在する場合には、上記のようにその通信装置２０との接続を試みる。別の通信装置２０が通信範囲内に存在しないかどうかの検索を開始する。
【００６２】
次に、スピーカ装置１０と通信装置２０との無線通信による接続が開始された後のスピーカ装置１０と通信装置２０との動作について、図５を用いて説明する。スピーカ装置１０の制御部１０１は、電力供給部１０２から増幅部１０３に電力を供給させると、記憶部１１１に記憶されている設定情報が示すボリューム値に応じた増幅率を増幅部１０３に設定する。増幅部１０３は、増幅率の設定がされた後に、入力されるオーディオ信号Ｓｉｎの増幅処理および放音部１２０への出力を開始する。ここで、記憶部１１１に記憶されている設定情報は、通信装置２０から送信される最初の制御信号Ｓｃに含まれる設定情報に応じて、更新されたものである。最初の制御信号Ｓｃとは、図示のように、接続開始後に通信装置２０から送信される制御信号Ｓｃによるものであってもよいし、通信装置２０の操作部２１３が操作されることにより送信される制御信号Ｓｃであってもよい。これにより、携帯オーディオ装置２１において再生されたオーディオ信号Ｓｉｎが、設定情報が示すボリューム値に応じた音量でスピーカ装置１０の放音部１２０から放音されることになる。
【００６３】
その後、通信装置２０は、所定の間隔でスピーカ装置１０に係る設定情報をポーリングする問い合わせを行うことで、フィードバック信号Ｓｆの受信を試みる。具体的には、以下のように行われる。まず、通信装置２０は、通信制御部２５３の制御によって、無線通信部２５２から、操作部１１０の操作によって設定情報が前回の問い合わせから更新されているかを示す問合信号をスピーカ装置１０に送信する。スピーカ装置１０において問合信号を受信すると、スピーカ装置１０の制御部１０１は、前回の問合信号の受信から今回の問合信号までの間において、操作部１１０の操作により記憶部１１１に記憶されている設定情報が更新されたかどうかを判定し、更新されている場合には、その旨を示す返答信号を無線通信部１５１に出力して通信装置２０に対して送信させる。
【００６４】
通信装置２０において返答信号を受信すると、通信制御部２５３の制御によって、無線通信部２５２から、スピーカ装置１０に係る設定情報の送信の要求を示す送信要求信号をスピーカ装置１０に送信する。そして、スピーカ装置１０において送信要求信号を受信すると、スピーカ装置１０の制御部１０１は、記憶部１１１に記憶されている設定情報を読み出して、その設定情報が含まれるフィードバック信号Ｓｆを無線通信部１５１に出力して通信装置２０に対して送信させる。このように、スピーカ装置１０の操作部１１０が操作されていると、通信装置２０は、所定の間隔で行うポーリングする問い合わせに応じて、フィードバック信号Ｓｆを受信することになる。なお、これは一例を示すものであって、問合信号に応答して、操作部１１０の操作の有無にかかわらず、フィードバック信号Ｓｆが出力されるようにしてもよい。
【００６５】
図５における説明に戻る。オーディオ信号Ｓｉｎがスピーカ装置１０の放音部１２０から放音された後に、利用者は、スピーカ装置１０の操作部１１０を操作して、ボリューム値の変更を指示すると、制御部１０１は、記憶部１１１に記憶されている設定情報が示すボリューム値を、指示に応じたボリューム値になるように更新する。また、制御部１０１は、更新されたボリューム値に応じた増幅率を増幅部１０３に設定する。これにより、放音部１２０から放音されるオーディオ信号Ｓｉｎの音量が変化する。また、制御部１０１は、更新したボリューム値を示す設定情報を含むフィードバック信号Ｓｆを通信装置２０からのポーリングする問い合わせに応じて無線通信部１５１に出力し、通信装置２０に送信させる。
【００６６】
通信装置２０がフィードバック信号Ｓｆを受信すると、制御部２１１は、通信装置２０の記憶部２１２に記憶されている設定情報が示すボリューム値を、フィードバック信号Ｓｆに含まれる設定情報が示すボリューム値になるように更新する。これにより、制御部２１１の制御によって、更新された設定情報が示すボリューム値に応じた表示が表示部２１４にされ、利用者は、スピーカ装置１０の操作部１１０が操作され記憶部１１１に記憶されている設定情報が示すボリューム値、すなわちスピーカ装置１０における現在のボリューム値が変化しても、変更後のボリューム値を通信装置２０の表示部２１４の表示により認識することができる。
【００６７】
次に、利用者は、通信装置２０の操作部２１３を操作して、ボリューム値の変更を指示すると、制御部２１１は、記憶部２１２に記憶されている設定情報が示すボリューム値を、指示に応じたボリューム値になるように更新する。また、制御部２１１は、更新したボリューム値を示す設定情報を含む制御信号Ｓｃを通信モジュール２５に出力して、スピーカ装置１０に送信させる。このとき、利用者は、操作部２１３の操作に応じて表示部２１４のボリューム値の表示が変化していくことを確認しながら、操作部２１３を操作することができるから、指示すべきボリューム値を正確に指定することができる。
【００６８】
スピーカ装置１０は、制御信号Ｓｃを受信すると、制御部１０１は、スピーカ装置１０の記憶部１１１に記憶されている設定情報が示すボリューム値を、制御信号Ｓｃに含まれる設定情報が示すボリューム値になるように更新する。また、制御部１０１は、更新したボリューム値に応じた増幅率を増幅部１０３に設定する。これにより、放音部１２０から放音されるオーディオ信号Ｓｉｎの音量が変化する。
【００６９】
このように、携帯オーディオ装置２１において再生されたオーディオ信号Ｓｉｎが、設定情報が示すボリューム値に応じた音量でスピーカ装置１０の放音部１２０から放音される。そして、このボリューム値の変更は、通信装置２０の操作部２１３の操作、スピーカ装置１０の操作部１１０の操作により行うことができ、どちらの操作においても、通信装置２０の表示部２１４に、変更後の現在のボリューム値に応じた表示をさせることができる。すなわち、スピーカ装置１０において増幅部１０３に設定すべき増幅率を指定するボリューム値と、通信装置２０において表示部２１４の表示内容を指定するボリューム値とが一致するように同期を取ることができる。
【００７０】
また、スピーカ装置１０は、通信装置２０と接続を開始すると、切断条件を満たすかどうかの判定を続ける。この例においては、切断条件とは、通信範囲外に通信装置２０が移動したり、通信モジュール２５が携帯オーディオ装置２１から取り外されたりして、無線通信が確立できなくなることである。
【００７１】
通信装置２０を携帯する利用者がさらに移動し、スピーカ装置１０の通信範囲外に移動すると、スピーカ装置１０と通信装置２０とは無線通信が確立できなくなり、スピーカ装置１０の通信制御部１５２、通信装置２０の通信制御部２５３は、上述した切断条件を満たしたと判定し、スピーカ装置１０と通信装置２０との接続を切断する。そして、スピーカ装置１０の制御部１０１は、電力供給部１０２から増幅部１０３への電力の供給を停止させ、また、無線通信部２５２におけるオーディオ信号Ｓｉｎの取得も行われなくなるから、スピーカ装置１０の放音部１２０からの放音が停止する。
【００７２】
このように、本発明の実施形態に係るオーディオシステム１において、通信装置２０を携帯する利用者がスピーカ装置１０の通信範囲内に移動することにより、スピーカ装置１０と通信装置２０とが無線通信により接続され、スピーカ装置１０の放音部１２０から、通信装置２０の携帯オーディオ装置２１において再生しているオーディオ信号Ｓｉｎが放音される。このとき、利用者は、通信装置２０の操作部２１３の操作、スピーカ装置１０の操作部１１０の操作により、ボリューム値を変更することによって、放音されるオーディオ信号Ｓｉｎの音量を変更することができ、どちらの操作によっても、通信装置２０の表示部２１４に、変更後の現在のボリューム値に応じた表示がされるから、手元の通信装置２０において容易に現在のボリューム値を認識することができる。
【００７３】
以上、本発明の実施形態について説明したが、本発明は以下のように、さまざまな態様で実施可能である。
【００７４】
＜変形例１＞
上述した実施形態においては、スピーカ装置１０の記憶部１１１に記憶される設定情報が示すボリューム値と、通信装置２０の記憶部２１２に記憶される設定情報が示すボリューム値とは同じであり、双方とも「０」から「２５５」の値をとるものであったが、異なるものであってもよい。例えば、通信装置２０においては、「０」から「２５５」の２５６ステップでボリューム値が指定され、スピーカ装置１０においては、「０」から「５１」の５２ステップでボリューム値が指定されるものとしてもよい。
【００７５】
この場合には、スピーカ装置１０の制御部１０１は、図６に示すような受信パラメータと変換パラメータとの関係を示す変換テーブルを記憶しておく。そして、制御部１０１は、通信装置２０から受信した制御信号Ｓｃを取得すると、変換テーブルを参照して、制御信号Ｓｃに含まれる設定情報が示すボリューム値を受信パラメータとして扱い、対応する変換パラメータが示すボリューム値になるように、記憶部１１１に記憶されている設定情報が示すボリューム値を更新する。
【００７６】
一方、操作部１１０の操作により制御部１０１が操作信号を取得すると、実施形態と同様に、操作信号に応じて記憶部１１１に記憶されている設定情報が示すボリューム値を更新する。そして、制御部１０１は、記憶部１１１に記憶された設定情報が示すボリューム値を変換パラメータとして扱い、対応する受信パラメータが示すボリューム値をフィードバック信号Ｓｆの設定値が示すボリューム値として認識する。
【００７７】
ここで、変換パラメータが「２」である場合には、対応する受信パラメータが示すボリューム値は、「６」から「１０」となる場合などのように、対応する受信パラメータが示すボリューム値が複数である場合には、その中のいずれかの値が選択されるように予め設定され、この例においては、「６」から「１０」の中央値「８」が選択されるようになっている。なお、この選択は、更新の態様によって変更されるように設定されていてもよい。すなわち、制御部１０１が操作信号に応じて記憶部１１１に記憶されている設定情報が示すボリューム値を増加させるように更新した場合には、例えば最低値（上述の例においては「６」）が選択され、ボリューム値を減少させるように更新した場合には、例えば最大値（上述の例においては「１０」）が選択されるようにしてもよい。
【００７８】
このようにすれば、通信装置２０の操作部２１３におけるボリューム値の変更を指示できる範囲、ステップと、スピーカ装置１０の操作部１１０におけるボリューム値の変更を指示できる範囲、ステップとが異なる場合においても、利用者は、操作によるボリューム値の変更指示を違和感無く行うことができる。
【００７９】
＜変形例２＞
上述した実施形態においては、通信装置２０からスピーカ装置１０へオーディオ信号Ｓｉｎが送信され、スピーカ装置１０の無線通信部１５１によってオーディオ信号Ｓｉｎを受信することによって取得していたが、オーディオ信号Ｓｉｎの取得は、別の方法により行なってもよい。この場合には、図７に示すように、オーディオ信号を取得して増幅部１０３に入力する入力部１０５を有するオーディオ信号処理装置１００Ａを具備するスピーカ装置１０Ａとすればよい。そして、この入力部１０５は、オーディオ信号Ｓｉｎが入力される入力端子を有するようにし、入力端子から入力されたオーディオ信号Ｓｉｎを取得してもよいし、オーディオ信号Ｓｉｎを生成する楽音発生手段（不図示）を有するようにした場合には、この楽音発生手段からオーディオ信号Ｓｉｎを取得するようにすればよい。
【００８０】
このようにすると、通信装置２０の携帯オーディオ装置２１は、オーディオ信号Ｓｉｎを出力しなくてもよく、通信装置２０を携帯する利用者がスピーカ装置１０の通信範囲内に移動してきた場合には、スピーカ装置１０の入力部１０５によって取得されたオーディオ信号Ｓｉｎが放音部１２０から放音されるようになる。この場合には、利用者は、通信装置２０について、放音される音量を変更することができるリモコンのように使用することができる。
【００８１】
＜変形例３＞
上述した実施形態においては、オーディオ信号Ｓｉｎを放音するスピーカ装置１０としていたが、図８に示すように、表示部１３０をさらに有するテレビなどの映像表示装置１０Ｂとしてもよい。以下、映像表示装置１０Ｂの構成について説明する。
【００８２】
表示部１３０は、液晶ディスプレイや有機ＥＬディスプレイなどの表示画面を有し、電力供給部１０２から電力の供給を受けると、入力された映像信号に応じた表示を表示画面に行う。制御部１０１は、電力供給部１０２を制御して、増幅部１０３に電力の供給の開始、停止を行う場合には、同様にして、表示部１３０への電力の供給の開始、停止を行う。すなわち、映像表示装置１０Ｂと通信装置２０とが接続された状態であるときに、表示部１３０へ電力が供給されることになる。また、制御部１０１は、記憶部１１１に記憶されている設定情報が示すボリューム値に応じた映像（例えば、ボリューム値を示す数値で表示する映像）を示す映像信号Ｇｆを表示部１３０に出力する。映像信号Ｇｆを出力する期間は、例えば、記憶部１１１に記憶されている設定情報が示すボリューム値が更新されてから一定期間とすればよい。
【００８３】
そして、無線通信部１５１からは、オーディオ信号Ｓｉｎとともに、映像信号Ｇｉｎを通信装置２０から受信することによって取得し、映像信号Ｇｉｎについては、表示部１３０に出力する。表示部１３０は、映像信号Ｇｉｎと映像信号Ｇｆを取得すると、これらに応じた表示を行う。例えば、映像信号Ｇｉｎに応じた映像に対して、映像信号Ｇｆに応じた映像をスーパーインポーズした表示を行う。
【００８４】
また、通信装置２０の記憶部２１２は、映像信号を示すデータについてもオーディオ信号を示すデータとともに記憶している。通信装置２０の制御部２１１は、オーディオ信号を示すデータを読み出すときに、映像信号を示すデータも読み出して再生し、映像信号Ｇｉｎとして表示部２１４およびインターフェイス２１６に出力する。これにより、映像信号Ｇｉｎは、オーディオ信号Ｓｉｎとともに無線通信部２５２から送信される。このとき、制御部２１１は、映像表示装置１０Ｂと通信装置２０とが接続状態か否かを示す情報を通信制御部２５３から取得し、接続状態のときは表示部２１４への映像信号Ｇｉｎの出力を停止してもよいし、接続状態でないときはインターフェイス２１６への映像信号Ｇｉｎの出力を停止してもよい。その他の構成については、実施形態における構成と同様であるから、説明を省略する。
【００８５】
このように、本発明は、スピーカ装置１０のように放音させる音響機器だけでなく、映像表示装置１０Ｂのように映像を表示する表示機器について適用することもできる。
【００８６】
＜変形例４＞
上述した実施形態においては、スピーカ装置１０は、オーディオ信号処理装置１００を有し、オーディオ信号処理装置１００の増幅部１０３において、設定情報が示すボリューム値に応じた増幅率でオーディオ信号Ｓｉｎを増幅していたが、増幅部１０３に限られず、電力供給を受けると、オーディオ信号Ｓｉｎに対して、設定情報が示すパラメータに応じた信号処理（例えば、イコライジング処理、残響処理など）を施す信号処理部であってもよい。例えば、信号処理としてイコライジング処理を行う場合には、設定情報が示すパラメータは、周波数特性を示すものとすればよいし、残響処理を行う場合には、設定情報が示すパラメータは、残響時間などであればよい。
【００８７】
＜変形例５＞
上述した実施形態においては、スピーカ装置１０と通信装置２０との無線通信による接続が開始されると、最初に通信装置２０から送信される制御信号Ｓｃに含まれる設定情報が示すボリューム値を基準とし、このボリューム値になるように、スピーカ装置１０の記憶部１１１に記憶されている設定情報が示すボリューム値を更新していたが、スピーカ装置１０の記憶部１１１に記憶されている設定情報が示すボリューム値（無線通信による接続時のボリューム値）を基準として、問合信号の受信が無くてもスピーカ装置１０からフィードバック信号Ｓｆを送信することにより、通信装置２０の記憶部２１２に記憶されている設定情報が示すボリューム値を更新するようにしてもよい。すなわち、スピーカ装置１０において増幅部１０３に設定すべき増幅率を指定するボリューム値と、通信装置２０において表示部２１４の表示内容を指定するボリューム値とが一致するなどの対応関係が同期を取ればよい。
【００８８】
＜変形例６＞
上述した実施形態において、スピーカ装置１０と通信装置２０との無線通信による接続が切断されると、スピーカ装置１０の記憶部１１１に記憶されている設定情報が示すボリューム値が、予め設定されたボリューム値に更新されるようにしてもよい。また、通信装置２０の記憶部２１２に記憶されている設定情報が示すボリューム値についても同様に、予め設定されたボリューム値に更新されるようにしてもよい。
【００８９】
ここで、スピーカ装置１０と通信装置２０との無線通信による接続が開始された後であって、通信装置２０の記憶部２１２に記憶されている設定情報が示すボリューム値が最初に更新される前のボリューム値を、記憶部２１２に初期設定情報として記憶しておき、スピーカ装置１０と通信装置２０との無線通信による接続が切断されると、記憶部２１２に記憶されている設定情報が示すボリューム値を、初期設定情報が示すボリューム値に更新されるようにしてもよい。このようにすれば、スピーカ装置１０と通信装置２０との無線通信による接続が切断された後に、開始される前のボリューム値に容易に戻すことができる。
【００９０】
＜変形例７＞
上述した実施形態においては、通信装置２０の操作部２１３の操作により、ボリューム値の変更指示が行われると、制御信号Ｓｃが送受信され、通信装置２０によるポーリングする問い合わせにより、フィードバック信号Ｓｆが送信されることにより、スピーカ装置１０において増幅部１０３に設定すべき増幅率を指定するボリューム値と、通信装置２０において表示部２１４の表示内容を指定するボリューム値との対応関係がずれると、制御信号Ｓｃ、フィードバック信号Ｓｆの送受信が行われていたが、送受信のタイミングはこれに限られない。例えば、スピーカ装置１０と通信装置２０とが無線通信により接続されている間は、予め設定された間隔で制御信号Ｓｃ、フィードバック信号Ｓｆが送受信されてもよい。
【００９１】
＜変形例８＞
上述した実施形態において、スピーカ装置１０の無線通信部１５１に通信装置２０からの通信電波の強度を検出する検出部を設け、制御部１０１は、この検出結果を取得し、検出した通信電波の強度に応じて、増幅部１０３に設定された増幅率を変化させてもよい。例えば、検出した通信電波の強度が小さくなるほど、スピーカ装置１０と通信装置２０との距離が離れていることになるから、増幅部１０３に設定された増幅率を大きくするように変化させ、距離が離れても通信装置２０を携帯する利用者が聴取する音量が小さくならないようにしてもよい。このように、制御部１０１は、増幅部１０３に対して、記憶部１１１に記憶されている設定情報が示すボリューム値と、検出部によって検出された通信電波の強度とに応じて増幅率を設定するようにしてもよい。
【００９２】
なお、通信制御部１５２は、検出部によって検出された通信電波の強度に応じた条件を接続条件、切断条件として接続をするか否かを判定してもよい。例えば、無線通信を確立した通信装置２０からの通信電波の強度が、予め設定されたしきい値以上になることを接続条件とすればよく、予め設定されたしきい値未満になることを切断条件とすればよい。
【００９３】
このようにすれば、無線通信電波の強度を変更しなくても、図示しない操作手段の操作などに応じて、通信制御部１５２は、設定されたしきい値を増減させることで、スピーカ装置１０と通信装置２０とが無線通信により接続される範囲であって、スピーカ装置１０からの範囲を調整することができる。また、この制御信号Ｓｃの送受信がスピーカ装置１０と通信装置２０とが無線通信による接続が開始する前であっても可能な状態としておけば、制御信号Ｓｃに応じてしきい値が増減されるようにしてもよい。例えば、制御信号Ｓｃに含まれる設定情報が示すボリューム値が大きくなるほどしきい値を減少させて、スピーカ装置１０と通信装置２０とが無線通信により接続可能な距離を長くするようにしてもよい。
【００９４】
＜変形例９＞
上述した実施形態においては、スピーカ装置１０の操作部１１０は操作に応じた操作信号を制御部１０１に出力することによって、ボリューム値の変更を指示していたが、外部装置と接続する接続端子を設け、その接続端子に接続された外部装置からボリューム値の変更を指示する信号を制御部１０１に出力することによって、ボリューム値の変更を指示するようにしてもよい。また、変形例２に示すようなスピーカ装置１０の構成である場合には、入力部１０５が取得するオーディオ信号Ｓｉｎを出力する外部装置と、このボリューム値の変更を指示する信号を出力する外部装置とは同じ装置であってもよい。
【００９５】
＜変形例１０＞
上述した実施形態においては、スピーカ装置１０と通信装置２０との無線通信による接続を開始するための接続条件は、スピーカ装置１０から送信された接続要求信号に応答して、通信装置２０から送信される接続許可を示す接続応答信号をスピーカ装置１０において受信することであったが、他の条件であってもよい。例えば、接続要求信号、接続応答信号の送受信を行うことなく、スピーカ装置１０と通信装置２０との間で無線通信が確立されることを接続条件としてもよい。
【００９６】
また、別の例として、接続要求信号、接続応答信号の送受信の関係を逆であるものとし、接続要求信号を通信装置２０が送信しスピーカ装置１０において受信し、スピーカ装置１０は、それに応答して接続応答信号を送信して通信装置２０に受信させるようにしてもよい。そして、通信装置２０が、接続許可を示す接続応答信号を受信することを接続条件としてもよい。この場合、接続条件を満たすかどうかにより接続するか否かを判定するのは通信装置２０の通信制御部２５３であってもよい。
【００９７】
一方、切断条件についても、無線通信が確立できなくなることだけでなく、他の条件としてもよい。例えば、無線通信により接続されている通信装置２０からのオーディオ信号Ｓｉｎの受信が、予め設定された時間、例えば１０分間無いことを切断条件としてもよい。また、通信装置２０から送信される制御信号Ｓｃに、予め設定された情報（例えば、携帯オーディオ装置２１のバッテリ残量が所定量以下である、スリープモードになったなど、携帯オーディオ装置２１の状態を示す情報）が含まれることを制御部１０１が検出したことを切断条件としてもよい。
【００９８】
＜変形例１１＞
上述した実施形態においては、スピーカ装置１０と通信装置２０とが、無線通信により接続されると、スピーカ装置１０の制御部１０１は、電力供給部１０２から増幅部１０３に電力の供給を開始していたが、スピーカ装置１０と通信装置２０とが、無線通信により接続された後に、さらに通信装置２０から予め設定された内容の情報を含む制御信号Ｓｃを受信した場合に、制御部１０１は、電力供給部１０２から増幅部１０３に電力の供給を開始するようにしてもよい。
【００９９】
ここで、予め設定された内容の情報は、例えば、実施形態における設定情報のようにボリューム値を示すものであってもよいし、携帯オーディオ装置２１においてオーディオ信号を再生する操作により生成される再生操作を示す情報であってもよい。このようにすれば、スピーカ装置１０と通信装置２０とが接続状態になっても、利用者が携帯オーディオ装置２１の操作部２１３に対して、予め設定された操作をするまでは、スピーカ装置１０の放音部１２０からの放音をさせないようにすることもできるから、通信装置２０を携帯する利用者がスピーカ装置１０の近くを通過するだけである場合に、不要に放音されないようにすることもできる。
【０１００】
＜変形例１２＞
上述した実施形態においては、通信装置２０の通信制御部２５３における識別情報の評価による判定は、予め設定されたグループＩＤと、スピーカ装置１０から受信した接続要求信号に含まれる識別情報が示すグループＩＤとを比較することにより行っていたが、別の方法であってもよい。例えば、以下に示すようなものとすればよい。
【０１０１】
例えば、通信制御部２５３は、予め接続可能な識別情報を示すリストを記憶しておき、このリストと接続要求信号に含まれる識別情報とを比較し、一致する識別情報がある場合には、接続すると判定、一致する識別情報が無い場合には、接続しないと判定すればよい。
【０１０２】
また、この判定は、利用者が操作部２１３を操作して、接続するか否かを決定することにより行なわれてもよい。この場合は、接続要求信号に含まれる識別情報を、インターフェイス２５１、２１６を介して携帯オーディオ装置２１に出力し、出力された識別情報に応じた表示、例えば無線通信が確立され、接続候補であるスピーカ装置１０を特定する表示、例えば装置ＩＤなどの表示を表示部２１４に行う。そして、利用者がこの表示を確認し、操作部２１３を操作して接続候補であるスピーカ装置１０と接続するか否かを決定する。この決定を示す情報がインターフェイス２１６、２５１を介して、通信モジュール２５に出力されることにより、通信制御部２５３は、スピーカ装置１０と接続すべきか否かを判定すればよい。
【０１０３】
＜変形例１３＞
上述した実施形態においては、通信装置２０の携帯オーディオ装置２１と通信モジュール２５とは接続されている状態での動作を説明したが、携帯オーディオ装置２１と通信モジュール２５とが接続されていない場合には、通信モジュール２５は動作せず、通信装置２０がスピーカ装置１０の通信範囲内に入っても、無線通信は確立されない。
【０１０４】
そして、スピーカ装置１０の通信範囲内で、携帯オーディオ装置２１と通信モジュール２５とを接続すると、携帯オーディオ装置２１内の図示しない電源部から電力の供給を受け、通信モジュール２５内の無線通信部２５２、通信制御部２５３が動作を開始し、通信可能な相手の検出を行い、スピーカ装置１０と通信装置２０との間で無線通信が確立され、その後は実施形態と同様にして、スピーカ装置１０の増幅部１０３への電力の供給が開始され、スピーカ装置１０から携帯オーディオ装置２１で再生されたオーディオ信号Ｓｉｎが放音されることになる。
【０１０５】
その後、携帯オーディオ装置２１から通信モジュール２５が取り外され、互いの接続が解除されると、再び通信モジュール２５は動作しなくなる。したがって、無線通信の確立ができなくなり、切断条件が満たされてスピーカ装置１０の増幅部１０３への電力の供給が停止され、スピーカ装置１０からの放音が停止する。このように、携帯オーディオ装置２１に対して、通信モジュール２５の接続、取り外しにより、他に何等操作の必要もなく、感覚的な操作のみでもスピーカ装置１０の電源操作を可能とすることができる。
【図面の簡単な説明】
【０１０６】
【図１】実施形態に係るオーディオシステムの構成を示す説明図である。
【図２】実施形態に係るスピーカ装置の構成を示すブロック図である。
【図３】実施形態に係る通信装置の構成を示すブロック図である。
【図４】実施形態に係るスピーカ装置と通信装置との無線通信の説明図である。
【図５】実施形態に係るスピーカ装置と通信装置との接続時における無線通信の説明図である。
【図６】変形例１に係る変換テーブルについての説明図である。
【図７】変形例２に係るスピーカ装置の構成を示すブロック図である。
【図８】変形例３に係る映像表示装置の構成を示すブロック図である。
【符号の説明】
【０１０７】
１…オーディオシステム、１０，１０Ａ…スピーカ装置、１０Ｂ…映像表示装置、２０…通信装置、２１…携帯オーディオ装置、２５…通信モジュール、１００，１００Ａ…オーディオ信号処理装置、１０１…制御部、１０２…電力供給部、１０３…増幅部、１０５…入力部、１１０…操作部、１１０Ａ，１１０Ｂ…操作子、１１１…記憶部、１２０…放音部、１３０…表示部、１５０…通信部、１５１…無線通信部、１５２…通信制御部、２１０…バス、２１１…制御部、２１２…記憶部、２１３…操作部、２１４…表示部、２１５…音声出力部、２１６…インターフェイス、２５１…インターフェイス、２５２…無線通信部、２５３…通信制御部
【図１】
2010056863.tif 000003
【図２】
2010056863.tif 000004
【図３】
2010056863.tif 000005
【図４】
2010056863.tif 000006
【図５】
2010056863.tif 000007
【図６】
2010056863.tif 000008
【図７】
2010056863.tif 000009
【図８】
2010056863.tif 000010